(57)【要約】      （修正有）【課題】エレベーターにおいて、カウンターウェイトを取り除き、駆動装置にかかる負荷を減少させたエレベーターを提供する。【解決手段】小型エレベーター、又は家庭用エレベーターに於いて、２本の釣り下げチェーンを有し、それを駆動するスプロケットの組合わせにより、１本のチェーンには釣り下げ方向の荷重が掛かり、もう片方のチェーンには、エレベーター自体の自重をカウンターウェイトとして作用することを特長とした、エレベーターである。【選択図】図４
0003149011.tif 000002
【実用新案登録請求の範囲】
【請求項１】
一般用エレベーター・特に小形エレベーターの、カウンターウェイトを取り除き、エレベーター自重をカウンターウェイトとして、駆動装置にかかる、負荷を減少することにて、エコロジー効果を発生させた。
【請求項２】
カウンターウエイトを取り除いたことにて、エレベーターの占有面積を小さくすることが出来、建築物の使用有効面積を大きくすることが出来るように成った。
【考案の詳細な説明】
【技術分野】
【０００１】  本考案は、人及び荷物を上下移送する輸送設備分野に属する。
【考案の開示】
【考案が解決しようとする課題】
【０００２】  図１にて、従来のエレベーターの機構説明を致します。【０００３】  エレベーターＭａｘ自重Ｗ１＜Ｗ２カウンターウェイト重量、の関係に有り、駆動装置には常時、余分なエネルギーが使用されている、この余分なエネルギーを取除き、エコロジー形に変更致します。【０００４】  従来のエレベーターに使用されているカウンターウェイトを取除くことにより、エレベーターの占有面積を小さくすることが可能と成り、建築物の使用有効面積を大きくすることで有ります。【０００５】  前述に加え尚且つ、Ｗ１＜Ｗ２の関係を、Ｗ３＝Ｗ３の関係にすることにて、従来のエレベーターに於いては駆動装置のブレーキ部分に故障が発生した場合には、エレベーターは自然上昇する危険をも解消することで有ります。
【背景技術】
【０００６】  エレベーターにはカウンターウェイトが設けられており、一般的にはエレベーターＭａｘ自重Ｗ１＜Ｗ２カウンターウェイト重量、の関係に有り、駆動装置には常時不必要な多大なブレーキ電力が必要とされていた。【０００７】  Ｗ１＜Ｗ２の関係から、エレベーターが空状態になればなるほど品番２１駆動装置の駆動電力が大きく成っていた。【０００８】  従来のエレベーターに於いては、エレベーターＭａｘ自重Ｗ１＜Ｗ２カウンターウェイト重量、の関係に有り、駆動装置ブレーキ部分に故障が発生した場合、エレベーターは自然上昇し、思わぬ事故の発生原因と成っていた。
【考案を実施するための最良の形態】
【０００９】  ここからは、図３・図４、にて説明致します。【００１０】  図１〜図４、に於いてエレベーターのガイドレール関係は図面から除外し致しました。【００１１】  図３にて駆動側チェーンの接続方法を説明する。
品番３９に固定された品番４１駆動側チェーンは、３２Ａ・３３Ａ・３７Ａ・３８Ａ・の駆動側スプロケットを介して、品番４０エレベーターチェーン末端金具へと、エレベーターを挟んでエンドレスに接続した。【００１２】  そのことに依り、品番３１駆動装置軸にエレベーター自重から発生する、回転力はＲ３と成ります。【００１３】  図４にて従動側チェーンの接続方法を説明する。
品番３９に固定された品番４２従動側チェーンは、３５Ｂ・３４・３３Ｃ・３６・３７Ｂ・３３Ｂ・３２Ｂ・３５Ａ・３３Ｄ・３７Ｃ・３８Ｂ・の従動側スプケットを介して、品番４０エレベーターチェーン末端金具へと、エレベーターを挟んでエンドレスに接続した。【００１４】  そのことに依り、品番３１駆動装置軸にエレベーター自重から発生する、回転力はＲ４と成ります。【００１５】  よって、品番３１駆動装置にかかる回転力はエレベーター自重から発生する物で有り、Ｒ３＝Ｒ４は等しい回転力となり、バランスが取れた形と成ります。
【考案の効果】
【００１６】  品番Ｗ３エレベーター自重が、負荷荷重で有り、カウンターウェイトで有る為、品番３１駆動装置回転軸には、Ｒ３＝Ｒ４の等しい回転力が発生しており、昇降移動の際に、品番３１駆動装置には最小限の電力で賄える形と成った。
またエレベーター停止時に於いても、駆動装置ブレーキには最小限の（０）の電力で賄える形と成った。
【００１７】  前述の如く、Ｒ３＝Ｒ４の等しい回転力の発生により、品番３１駆動装置のブレーキ部分に万が一の故障が発生した場合に於いても、エレベーターの昇方向への移動による、思わぬ事故が未然に防げることと成った。
【００１８】  従来のエレベーターに設けられていた、カウンターウェイトが削除されたことにて、Ｌ１＞Ｌ２の関係が可能と成り、エレベーターの占有面積を小さく出来、建築物の使用可能面積を大きく取れるように成った。
【００１９】  本考案機構はそのまま、自動車等の立体駐車場にも転用出来ることも、判明した。
【図面の簡単な説明】
【００２０】
【図１】  従来のエレベーター機構図面
【図２】  本考案のエレベーター機構組立図面
【図３】  図２のＡ〜矢視図面
【図４】  図２のＢ〜矢視図面
【符号の説明】
【００２１】Ｈ１        エレベーター総高
Ｈ２        機会室・機会取付台範囲
Ｗ          エレベーター幅
Ｌ１        エレベーター奥行き長さ−Ｌ１
Ｌ２        エレベーター奥行き長さ−Ｌ２
１１Ａ      エレベーター占有面積−Ａ
１１Ｂ      エレベーター占有面積−Ｂ
１２        エレベーター本体
Ｗ１        Ｗ１＝ＷＭａＸ  エレベーターＭａＸ自重
Ｗ３        エレベーターＭａＸ自重
１３        カウンターウェイト
Ｗ２        カウンターウェイト自重
１４Ａ      機会品取付台−Ａ
１４Ｂ      機会品取付台−Ｂ
１５Ａ      機会室−Ａ
１５Ｂ      機会室−Ｂ
２１        従来の駆動装置
２２        スプロケット−２２
２３        スプロケット−２３
２４        駆動チェーン
３１        エコ形の駆動装置
３２Ａ      スプロケット−３２Ａ
３２Ｂ      スプロケット−３２Ｂ
３３Ａ      スプロケット−３３Ａ
３３Ｂ      スプロケット−３３Ｂ
３３Ｃ      スプロケット−３３Ｃ
３３Ｄ      スプロケット−３３Ｄ
３４        スプロケット−３４
３５Ａ      スプロケット−３５Ａ
３５Ｂ      スプロケット−３５Ｂ
３６        スプロケット−３６
３７Ａ      スプロケット−３７Ａ
３７Ｂ      スプロケット−３７Ｂ
３７Ｃ      スプロケット−３７Ｃ
３８Ａ      スプロケット−３８Ａ
３８Ｂ      スプロケット−３８Ｂ
３９        エレベーターチェーン釣り下げ金具
４０        エレベーターチェーン末端金具
４１        エレベーター釣り下げチェーン駆動側
４２        エレベーター釣り下げチェーン従動側
４３        下側スプロケット取付台
Ｒ１        エレベーター自重から発生する、駆動装置にかかる回転力
Ｒ２        カウンターウェイトから発生する、駆動装置にかかる回転力
Ｒ３        Ｒ３＝Ｒ４エレベーター自重から発生する、駆動装置にかかる回転力
Ｒ４        Ｒ４＝Ｒ３エレベーター自重から発生する、駆動装置にかかる回転力
【図１】
0003149011.tif 000003
【図２】
0003149011.tif 000004
【図３】
0003149011.tif 000005
【図４】
0003149011.tif 000006
【手続補正書】
【提出日】平成20年10月15日(2008.10.15)
【手続補正１】
【補正対象書類名】実用新案登録請求の範囲
【補正対象項目名】全文
【補正方法】変更
【補正の内容】
【実用新案登録請求の範囲】
【請求項１】
小型エレベーター、及び家庭用エレベーターに於いて、２本の釣り下げテェーンと、それを駆動するスプロケットの組合わせにより、エレベーター自体の自重をカウンターウェイトに変換したエレベーター。
【手続補正書】
【提出日】平成20年12月11日(2008.12.11)
【手続補正１】
【補正対象書類名】実用新案登録請求の範囲
【補正対象項目名】全文
【補正方法】変更
【補正の内容】
【実用新案登録請求の範囲】
【請求項１】
小型エレベーター、又は家庭用エレベーターに於いて、２本の釣り下げチェーンを有し、それを駆動するスプロケットの組合わせにより、
１本のチェーンには釣り下げ方向の荷重が掛かり、もう片方のチェーンには、エレベーター自体の自重をカウンターウェイトとして作用することを特長とした、エレベーターです。